(57)【要約】【課題】テレビ放送等の番組と連動して簡単にクイズ等の処理を行うことが可能な番組連動処理システムを提供すること。【解決手段】テレビ番組において２次元コードを表示し、携帯電話１は、テレビ画面に表示された２次元コードを内蔵するカメラで読み取り、当該コードに含まれるＵＲＬにアクセスする。ＵＲＬによって指定されているサーバ２は、携帯電話１からのアクセスを受け付け、番組と連動して例えばクイズ情報を携帯電話１に送信し、携帯電話１から回答を受信して正解か否かを判定し、判定結果を携帯電話１に送信する。また、サーバ２は、更に回答情報が受信された時刻が所定の期間内であるか否かを判定し、この期間内判定結果も送信するようにしてもよい。テレビ放送等の番組と連動して簡単にクイズ等の処理を行うことができる。【選択図】図１
2005333272.tif 000002
【特許請求の範囲】
【請求項１】
通信網を介して携帯端末と通信可能なサーバ装置において、
前記携帯端末からの要求に応じて番組と連動する処理に必要な情報を送信する情報送信手段と、
前記携帯端末から送信された回答情報を受信する受信手段と、
前記受信手段によって受信された回答情報が正解か否かを判定する正解判定手段と、
前記正解判定手段による判定の結果を前記携帯端末に送信する結果送信手段と
を備えたことを特徴とするサーバ装置。
【請求項２】
前記番組と連動する処理に必要な情報はクイズ情報であり、
前記サーバ装置は、更に、前記回答情報が受信された時刻が所定の期間内であるか否かを判定する期間内判定手段を備え、
前記結果送信手段は、期間内判定手段の判定結果も送信する
ことを特徴とする請求項１に記載のサーバ装置。
【請求項３】
通信網を介して携帯端末と通信可能なサーバ装置のコンピュータを、
前記携帯端末からの要求に応じて番組と連動する処理に必要な情報を送信する情報送信手段、
前記携帯端末から送信された回答情報を受信する受信手段、
前記受信手段によって受信された回答情報が正解か否かを判定する正解判定手段、
前記正解判定手段による判定の結果を前記携帯端末に送信する結果送信手段
として機能させることを特徴とする番組連動処理プログラム。
【請求項４】
前記番組と連動する処理に必要な情報はクイズ情報であり、
前記番組連動処理プログラムは、更に、前記サーバ装置のコンピュータを、前記回答情報が受信された時刻が所定の期間内であるか否かを判定する期間内判定手段として機能させるプログラムを含み、
前記結果送信手段は、前記期間内判定手段の判定結果も送信する
ことを特徴とする請求項３に記載の番組連動処理プログラム。
【請求項５】
テレビ画面に表示された２次元コードを読み取り、当該コードに含まれるＵＲＬにアクセスする手段を備えた、情報処理機能とデータ通信機能を有する携帯端末、および
前記携帯端末からの要求に応じて番組と連動する処理に必要な情報を送信する情報送信手段と、前記携帯端末から送信された回答情報を受信する受信手段と、前記受信手段によって受信された回答情報が正解か否かを判定する正解判定手段と、前記正解判定手段による判定の結果を前記携帯端末に送信する結果送信手段とを備えた、通信網を介して前記携帯端末と通信可能なサーバ装置
からなることを特徴とする番組連動処理システム。
【請求項６】
前記番組と連動する処理に必要な情報はクイズ情報であり、
前記サーバ装置は、更に、前記回答情報が受信された時刻が所定の期間内であるか否かを判定する期間内判定手段を備え、
前記結果送信手段は、期間内判定手段の判定結果も送信する
ことを特徴とする請求項５に記載の番組連動処理システム。
【請求項７】
テレビ画面にＵＲＬ情報が含まれた２次元コードを表示するステップ、
携帯端末において、テレビ画面に表示された前記２次元コードを読み取り、当該コードに含まれるＵＲＬによって指定されたサーバ装置にアクセスするステップ、
番組と連動する処理に必要な情報を前記サーバ装置から前記携帯端末に送信するステップ、
前記携帯端末においてユーザから入力された回答情報を送信するステップ、
前記携帯端末から送信された回答情報を受信するステップ、
前記回答情報が正解か否かを判定するステップ、
前記判定結果を前記携帯端末に送信するステップ
を含むことを特徴とする番組連動処理方法。
【請求項８】
前記番組と連動する処理に必要な情報はクイズ情報であり、
更に、前記回答情報が受信された時刻が所定の期間内であるか否かを判定するステップを含むことを特徴とする請求項７に記載の番組連動処理方法。
【発明の詳細な説明】
【技術分野】
【０００１】
本発明は、サーバ装置、番組連動処理プログラム、番組連動処理システムおよび番組連動処理方法に関するものであり、特に、テレビ放送等の番組と連動して簡単にクイズ等の処理を行うことが可能なサーバ装置、番組連動処理プログラム、番組連動処理システムおよび番組連動処理方法に関するものである。
【背景技術】
【０００２】
従来、テレビ等の放送番組とネットワークに接続された端末との連動システムが各種提案されている。例えば、下記の特許文献１には、メディア連動インターネットコンテンツ表示システムが開示されている。このシステムにおいては、例えばテレビで広告を視聴しているユーザが端末を操作することにより、該当する商品のホームページを表示させるようにしたものである。
【特許文献１】特開２００２−３１２６７９号公報
【発明の開示】
【発明が解決しようとする課題】
【０００３】
上記した従来の放送連動システムは、単に広告と関連するホームページを表示するという機能であり、ユーザが様々な形式で番組に参加することはできないという問題点があった。また、情報を取得するためには専用の装置の使用、事前の登録や設定が必須であり、情報を得るための手続きが煩雑であるという問題点もあった。
本発明の目的は、上記したような問題点を解決し、テレビ放送等の番組と連動して簡単にクイズ等の処理を行うことが可能なサーバ装置、番組連動処理プログラム、番組連動処理システムおよび番組連動処理方法を提供することにある。
【課題を解決するための手段】
【０００４】
本発明のサーバ装置は、通信網を介して携帯端末と通信可能なサーバ装置において、前記携帯端末からの要求に応じて番組と連動する処理に必要な情報を送信する情報送信手段と、前記携帯端末から送信された回答情報を受信する受信手段と、前記受信手段によって受信された回答情報が正解か否かを判定する正解判定手段と、前記正解判定手段による判定の結果を前記携帯端末に送信する結果送信手段とを備えたことを主要な特徴とする。
【０００５】
また、前記したサーバ装置において、前記番組と連動する処理に必要な情報はクイズ情報であり、前記サーバ装置は、更に、前記回答情報が受信された時刻が所定の期間内であるか否かを判定する期間内判定手段を備え、前記結果送信手段は、期間内判定手段の判定結果も送信するようにしてもよい。
【０００６】
本発明の番組連動処理プログラムは、通信網を介して携帯端末と通信可能なサーバ装置のコンピュータを、前記携帯端末からの要求に応じて番組と連動する処理に必要な情報を送信する情報送信手段、前記携帯端末から送信された回答情報を受信する受信手段、前記受信手段によって受信された回答情報が正解か否かを判定する正解判定手段、前記正解判定手段による判定の結果を前記携帯端末に送信する結果送信手段として機能させることを主要な特徴とする。
【０００７】
また、前記番組連動処理プログラムにおいて、前記番組と連動する処理に必要な情報はクイズ情報であり、前記番組連動処理プログラムは、更に、前記サーバ装置のコンピュータを、前記回答情報が受信された時刻が所定の期間内であるか否かを判定する期間内判定手段として機能させるプログラムを含み、前記結果送信手段は、前記期間内判定手段の判定結果も送信するようにしてもよい。
【０００８】
本発明の番組連動処理システムは、テレビ画面に表示された２次元コードを読み取り、当該コードに含まれるＵＲＬにアクセスする手段を備えた、情報処理機能とデータ通信機能を有する携帯端末、および前記携帯端末からの要求に応じて番組と連動する処理に必要な情報を送信する情報送信手段と、前記携帯端末から送信された回答情報を受信する受信手段と、前記受信手段によって受信された回答情報が正解か否かを判定する正解判定手段と、前記正解判定手段による判定の結果を前記携帯端末に送信する結果送信手段とを備えた、通信網を介して前記携帯端末と通信可能なサーバ装置からなることを主要な特徴とする。
【０００９】
また、前記番組連動処理システムにおいて、前記番組と連動する処理に必要な情報はクイズ情報であり、前記サーバ装置は、更に、前記回答情報が受信された時刻が所定の期間内であるか否かを判定する期間内判定手段を備え、前記結果送信手段は、期間内判定手段の判定結果も送信するようにしてもよい。
【００１０】
本発明の番組連動処理方法は、テレビ画面にＵＲＬ情報が含まれた２次元コードを表示するステップ、携帯端末において、テレビ画面に表示された前記２次元コードを読み取り、当該コードに含まれるＵＲＬによって指定されたサーバ装置にアクセスするステップ、番組と連動する処理に必要な情報を前記サーバ装置から前記携帯端末に送信するステップ、前記携帯端末においてユーザから入力された回答情報を送信するステップ、前記携帯端末から送信された回答情報を受信するステップ、前記回答情報が正解か否かを判定するステップ、前記判定結果を前記携帯端末に送信するステップを含むことを主要な特徴とする。
【００１１】
また、前記番組連動処理方法において、前記番組と連動する処理に必要な情報はクイズ情報であり、更に、前記回答情報が受信された時刻が所定の期間内であるか否かを判定するステップを含むようにしてもよい。
【発明の効果】
【００１２】
本発明は上記のような特徴によって、事前の登録や設定が必要なく、携帯端末を所有するユーザが簡単な操作でテレビ番組等に参加できるので、番組の視聴率およびサーバへのアクセス数が増加するという効果がある。また、番組中の広告のより詳細な情報を提供することも可能となり、広告効果が向上するという効果もある。
【発明を実施するための最良の形態】
【００１３】
以下、本発明を実施するための最良の形態について、図面を参照して詳細に説明する。本実施の形態では、携帯端末として携帯電話機を使用する例を開示する。但し、本発明はインターネットに接続してＷｅｂ閲覧が可能な任意の携帯端末について適用可能である。
【００１４】
まずシステム全体の構成について説明する。図１は、本発明の実施例のシステム全体を示す概略構成図である。このシステムは、携帯端末の一種である携帯電話１とサーバ２が携帯電話網５およびインターネット４を介して接続可能に構成されている。携帯電話網５は、基地局９、パケット交換処理を司るパケット網６、インターネット４に接続されたゲートウェイサーバ７とを備え、携帯電話１とインターネット４との接続を可能にする。携帯電話１は、たとえば、HTTP（Hyper Text Transfer Protocol）によりＷｅｂ閲覧を可能にするＷｅｂブラウザやメールの送受信を行うメーラを標準装備しており、更にアプリケーションプログラムをダウンロードして記憶可能である。
【００１５】
サーバ２はデータベース３を備え、Ｗｅｂサーバ、メールサーバ、アプリケーションサーバ等の機能を有する。サーバ２はインターネット４、携帯電話網５を介して携帯電話１やパソコンなどのその他の端末と通信可能であり、携帯電話１からのアクセスに応じて後述するような処理を行う。データベース３は、サーバ２に接続されたデータベースシステムであり、ダウンロード用アプリ、ユーザ関連データ、コンテンツデータ等の各種データを記憶すると共にサーバ２からの要求に基づきサーバ２に必要なデータを提供する。
【００１６】
ＴＶ放送局１０は、テレビ番組の放送機能を有する。テレビ受信機１１は携帯電話１のユーザが所有するアナログ方式もしくはデジタル方式のテレビ受信機である。後述する本発明の方法によって、ユーザはテレビ受信機１１によって例えばクイズ番組を見ながら、携帯電話１を使用してクイズに参加することができる。
【００１７】
図２は、本実施の形態による携帯電話１の内部構成例を示すブロック図である。携帯電話１は、制御部２０、通信制御部２１、表示部２３、入力部２４、音声／サウンド制御部、時計部２８、カメラ部２９、記憶部３０を備え、各回路はバス２９によって接続されている。
【００１８】
情報処理機能を実現する制御部２０は、CPU、ROM、RAMなどを備え、ROMや記憶部３０に記憶された各種プログラムに従って携帯電話１全体の制御を行う。アプリケーションプログラムとしては、例えばＷｅｂ閲覧を制御するＷｅｂブラウザ、メールの送受信を制御するメーラープログラム、あるいはダウンロードされたアプリを実行可能である。記憶部３０は、例えば不揮発性のメモリからなり、上記した各種アプリやアプリで使用するデータ、待ち受け画像等の画像データ、着メロデータ、電話帳データなどをを記憶している。
【００１９】
アンテナ２２を備えた通信制御部２１は基地局との間のデータおよび音声通信機能を実行する。例えば液晶表示器を備えた表示部２３は制御部２０の制御によって文字や画像を表示する。入力部２４は、電話番号や文字を入力するためのダイヤルキー、メインメニューを呼び出したり、画面上の選択可能なアイコンに対して上下左右へカーソルを移動してアイコンを選択するためのセレクトキー、ダイヤルキーやセレクトキーで選択した項目を確定する確定キーなどを備える。
【００２０】
音声／サウンド制御部２５は、スピーカ２６およびマイク２７が接続されており、呼出音、着信メロディ等のサウンド出力や通話時の音声出力、およびマイク２７からの音声入力を実行する。時計部２８は制御部２０に現在時刻情報を提供する。カメラ部２９は例えばＣＣＤ撮像素子を使用したデジタルカメラユニットを備え、本発明の実施例においては、テレビ受信機１１の画面に表示された２次元コードを読み取るために使用する。この他、赤外線通信機能、近距離無線通信機能、外部機器接続機能、（デジタル）テレビあるいは（デジタル）ラジオ受信機能、メモリカードスロット等を備えていてもよい。
【００２１】
図３は、本実施の形態によるサーバ２の内部構成例を示すブロック図である。サーバ２は、制御部４１、記憶部４２、通信制御部４３、データベースインターフェイス部４４、時計部４５等からなり、各回路はバス４６によって接続されている。制御部４１はCPU、ROM、RAMなどを備え、周知のＯＳ、サーバプログラムおよび本発明の機能を実現するプログラムを実行することにより、サーバ全体を制御する。
【００２２】
記憶部４２は例えばハードディスク装置を備え、ＯＳ（Operating system）、公知あるいは本発明による各種プログラム、データ等を記憶している。通信制御部４３は、図示しないルータやファイヤウォールサーバを介してインターネット４に接続され、インターネット４を介して携帯電話１などとの双方向通信を実行する。時計部４５は現在時刻を計時し、制御部４１に提供する。データベースインタフエース部４４はデ−タベース３に接続され、データベース２との間でデータ授受を行う。
【００２３】
以下に、本発明による番組連動処理の機能および動作を説明する。図５は、本発明の番組連動処理における携帯電話１、テレビ放送局１０およびサーバ２の処理内容を示すフローチャートである。縦線は時間の経過を示し、横点線は情報、データ、情報の移動を示している。なお、この実施例においては、携帯電話１には、２次元コードを読み取って、含まれているＵＲＬ（Uniform Resource Locator）にブラウザでアクセスする機能が標準で備わっているものとする。
【００２４】
また、デジタルカメラ付きの携帯電話機において、２次元コードを読み取って、含まれているＵＲＬにブラウザでアクセスする機能がない場合には、サーバ１あるいはその他のサーバから当該機能を有するアプリをダウンロードすることにより、本発明の携帯電話１として使用可能となる。
また、２次元コードとはバーコードの機能を２次元に拡張した機械（カメラ）読み取り可能なコード画像であり、例えば公知のＱＲコード（登録商標）は大容量の文字データを表示／読み取り可能である。
【００２５】
Ｓ１０においては、テレビ放送局１０において、例えばクイズ番組でクイズを出題するタイミングと連動して画面に２次元コードを所定の時間だけ放映する。この２次元コードにはサーバ１のＵＲＬが含まれている。なお、このＵＲＬに、番組識別コード、クイズ番号、放送局識別コード等が含まれていてもよい。そして、番組において、クイズに参加を希望するユーザはこの２次元コードを読み取ってサイトにアクセスするように勧誘する。図４は、２次元コードを表示した番組画面例を示す説明図である。テレビ画面５０には２次元コード５１が表示されている。
【００２６】
この番組を視聴していたユーザがクイズに参加を希望する場合には、画面に２次元コードが表示されている間に、アプリあるいは標準装備されている２次元コード読み取りプログラムを起動し、携帯電話のカメラ２９によって２次元コードを撮影する必要がある。
【００２７】
Ｓ２０においては、ユーザが携帯電話において標準装備されている２次元コード読み取りアプリを起動する。Ｓ２１においては、テレビ画面から２次元コードを読み取り、ＵＲＬを抽出する。Ｓ２２においては、ブラウザが起動され、抽出されたＵＲＬによって指定されたサーバにアクセスする。
【００２８】
Ｓ２３においては、サーバ２がアクセスを受け付け、サーバから携帯電話に番組と連動したクイズ情報（問題）を送信する。なお、携帯電話網のキャリアから認定された公式サイト（サーバ）であれば、アクセスしてきた携帯電話１のＵＩＤ（ユーザ固有の識別情報）を携帯電話網５から取得可能であるので、ユーザの特定（認証）が可能である。また、ユーザＩＤとパスワードによって認証を行ってもよい。
【００２９】
また、アクセスしてきたユーザ情報をクイズ回答テーブルに登録する。図６は、データベースが記憶しているクイズ回答テーブルの内容例を示す説明図である。テーブルのレコード項目としては、例えばユーザを識別するＵＩＤ、クイズ番号、ユーザが入力した回答、回答の結果の項目が含まれている。そして、ユーザがアクセスした際に当該ユーザ情報のレコードが追加され、「結果」欄の初期状態は０（未回答）に設定される。なお、クイズ回答テーブルにユーザが回答した（サーバが受信した）時刻情報も記録するようにしてもよい。
【００３０】
Ｓ２４においては、携帯電話において受信したクイズを表示する。図７（ａ）は、携帯電話に表示されたクイズの問題画面例を示す説明図である。Ｓ２５においては、ユーザによる回答操作があるまで待つ。そして、Ｓ２６においてユーザによって入力された回答情報をサーバに送信する。
【００３１】
Ｓ２７においては、サーバにおいてユーザからの回答を受信したか否かが判定され、判定結果が否定の場合にはＳ２８に移行するが、肯定の場合にはＳ２９に移行する。Ｓ２８においては、予め定められたクイズの処理（番組）終了時刻を過ぎたか否かが判定され、判定結果が肯定の場合には処理を終了するが、否定の場合にはＳ２７に戻る。
【００３２】
Ｓ２９においては、当該ユーザが当該クイズについて既に回答済みか否かが判定され、判定結果が肯定の場合には回答を無視してＳ２７に戻るが、否定の場合、即ち最初の回答の場合にはＳ３０に移行する。判定は、クイズ回答テーブルの結果欄が０（未回答）でないか否かによって行われる。Ｓ３０においては、ユーザからの回答がそのクイズの回答期限内か否かを判定する。
【００３３】
回答期限は例えば２次元コードを表示してから所定の時間（例えば数分）以内というように予め定めておく。なお、生番組等であって、２次元コード表示タイミングが事前に不明な場合には、テレビ放送局から２次元コード表示タイミング情報を取得して回答期限を決定する。そして、判定結果が肯定の場合にはＳ３１に移行するが、否定の場合にはＳ３２に移行する。
【００３４】
Ｓ３１においては、ユーザの回答が正解か不正解かを判定する。Ｓ３２においては、サーバがクイズ回答テーブルにユーザおよびクイズ番号対応に回答および結果を書き込む。即ち、ＵＩＤおよびクイズ番号が対応するレコードの回答欄にユーザの入力した回答情報を書き込み、結果欄には１（正解）、２（不正解）あるいは３（時間切れ）を書き込む。
【００３５】
Ｓ３３においては、携帯電話に対して、回答の結果等を送信し、Ｓ３４においては、例えば正解したユーザに対して所定のポイントを加算する。加算されるポイント数は正解者全員に同じポイントを加算してもよいし、例えば回答時刻を記録しておき、正解者の中で早く回答したユーザに多くのポイントを加算するようにしてもよい。このポイントは例えば着メロのダウンロードに使用可能であってもよい。
【００３６】
Ｓ３５においては、携帯電話において受信した結果情報等を表示する。図７（ｂ）、（ｃ）、（ｄ）は携帯電話における時間切れ、正解および不正解の場合の結果の表示例である。なお、結果の他に正解率や加算ポイント数を表示するようにしてもよい。
以上のような構成および動作によって携帯電話のユーザがクイズ番組と連動するサイト上のクイズイベントに簡単に参加することができ、番組への参加感が得られるので、視聴率およびサイトへのアクセス数が増加するという効果がある。また、２次元コードを使用してＵＲＬを取得することにより、事前のユーザ登録やＵＲＬの入力等の手間が不要であり、利便性、操作性が向上するという効果もある。更に、いつ表示されるかが不明な２次元コードをうまく読み取れたユーザのみがサーバにアクセス可能となるので、ゲーム性があるという効果もある。
【００３７】
以上の実施例においては、クイズ番組との連動について説明したが、連動する内容は、クイズに限らず、例えばアンケート、投票等であってもよく、更に番組中に挿入される宣伝広告との連動も可能である。この場合には、連動処理として商品やサービスのより詳細な説明、商品と関連するホームページのＵＲＬの提供、資料請求、購入予約などの処理を行うようにしてもよい。
【００３８】
実施例のフローチャートにおいては、１回の２次元コード読み取りアクセスに基づいてクイズを１回実施する例を開示したが、番組と連動して１回の２次元コード読み取りアクセスに基づいて、クイズを複数回繰り返して実施してもよい。
【産業上の利用可能性】
【００３９】
本発明は、携帯電話機等の携帯端末、サーバ装置、携帯電話網、インターネット等を含むデータ通信システム、情報処理システムの産業分野で利用可能である。
【図面の簡単な説明】
【００４０】
【図１】本発明の実施例のシステム全体を示す概略構成図である。
【図２】本実施の形態による携帯電話の内部構成例を示すブロック図である。
【図３】本実施の形態によるサーバの内部構成例を示すブロック図である。
【図４】２次元コードを表示した番組画面例を示す説明図である。
【図５】本発明の番組連動処理における処理内容を示すフローチャートである。
【図６】データベースが記憶しているクイズ回答テーブルの内容例を示す説明図である。
【図７】携帯電話におけるクイズおよび結果の表示例をを示す説明図である。
【符号の説明】
【００４１】
１…携帯電話（携帯端末）
２…サーバ
３…データベース
４…インターネット
５…携帯電話網
６…パケット網
７…ゲートウェイサーバ
９…基地局
１０…ＴＶ放送局
１１…テレビ受信機
【図１】
2005333272.tif 000003
【図２】
2005333272.tif 000004
【図３】
2005333272.tif 000005
【図４】
2005333272.tif 000006
【図５】
2005333272.tif 000007
【図６】
2005333272.tif 000008
【図７】
2005333272.tif 000009